(57)【要約】【解決課題】本発明は、病院生活等で邪魔にならず、特に患者が入浴する際の防水と衛生管理を含め、留置針を手軽にかつ確実に保護するカバーを提供することを目的とする。【解決手段】身体の一部に使用された状態の留置針を保護するためのカバーであって、非装着時には当該身体の一部の外径よりも小さい径のゴムまたはラテックス製の筒状体膜からなる本体部と、この本体部の一部に形成された小筒状部または突出部とを有することを特徴とする留置針保護カバー。【選択図】図４
2016022168.tif 000002
【特許請求の範囲】
【請求項１】
身体の一部に使用された状態の留置針を保護するためのカバーであって、非装着時には当該身体の一部の外径よりも小さい径のゴムまたはラテックス製の筒状体膜からなる本体部と、この本体部の一部に形成された小筒状部または突出部とを有することを特徴とする留置針保護カバー。
【請求項２】
前記本体部及び小筒状部が一体に形成され、前記小筒状部が前記留置針をその内部に保持することが可能な、本体部表面から斜めに突出した閉塞された防水性小筒状部である請求項１に記載の留置針保護カバー。
【請求項３】
前記ゴムまたはラテックスまたはその表面が天然物抗菌剤を含有する請求項１または２に記載の留置針保護カバー。
【請求項４】
患者の識別手段を有する請求項１〜３のいずれかに記載の留置針保護カバー。
【請求項５】
患者の入浴時に留置針を保護し衛生状態を保つための請求項１〜４のいずれかに記載の留置針保護カバー。
【発明の詳細な説明】
【技術分野】
【０００１】
本発明は、点滴管が連結される留置針を固定ないし保護するためのカバーに関する。本発明は特に患者の入浴時に留置針を保護するため保護カバーとして有用である。
【背景技術】
【０００２】
病院等では、比較的長時間の点滴や複数回の採血が予定される場合、留置針と呼ばれる器具を使用する。これは、内針と呼ばれる金属針と外針と呼ばれるプラスチック製のカテーテルで構成され、内針（金属針）を覆うように外針（カテーテル）が装着される。血管に挿入した後に内針のみを引き抜き、図１に示すように、柔らかい外針Ｎを血管内に留置して、これに接続部Ｃを介して点滴ラインＬを接続して点滴等を行う。点滴ラインＬは接続部Ｃから取り外したり交換したりすることができる（なお、図中の外針Ｎと接続部Ｃとの間の屈曲は必ずしも存在するわけではないが、明瞭になるように描いている）。
【０００３】
この場合、留置針は、基本的にはテープＴ等で固定されるが、それだけでは接続部Ｃに外部から衝撃が加わるおそれがあるため、点滴等の合間には腕Ａにおいて包帯等を接続部Ｃ周囲にクロス状に巻き回したり、全体を透明フィルムを巻くことが行われている。
このような方法は、手間も掛かるため大きな負担であり、留置針を固定ないし保護するためのカバーも提案されている。下記の特許文献１は、腕に使用された留置針を上から覆うカバーをマジックテープ（登録商標）つきのベルトで取り付け、留置針を保護するものである。特許文献２は、腕等に取り付けるため医療用テープが上から貼り付けられる半筒状のカバーケースの端面に留置針またはこれに連結される管を通す管孔を設けて前記突出部を保護するものである。
【先行技術文献】
【特許文献】
【０００４】
【特許文献１】特開平１１−７６４０１号公報
【特許文献２】特開２００６−１５８７３０号公報
【発明の概要】
【発明が解決しようとする課題】
【０００５】
しかしながら、前記特許文献１の技術はベルトを用いるので大がかりなものになり病院生活等で邪魔になり不便である。また、前記特許文献２は、留置針の保護には役立っても、半筒状のカバーケースを通しての内針の交換は容易ではない。この結果、現状では、上記のように従来の包帯や透明フィルムを用いた方法が用いられており、効率が悪く、経済的にもコストが掛かる。特に患者の入浴の際には、お湯が触れることのないように万全を期する必要があり看護師等の手間が大きい。本発明は、以上の問題点を解決するために、病院生活等で邪魔にならず、特に患者が入浴する際の防水と衛生管理を含め、留置針を手軽にかつ確実に保護するカバーを提供することを目的とする。
【課題を解決するための手段】
【０００６】
以上の課題を解決するために、本発明者は鋭意検討を重ね、以下の構成により上記課題が解決されることを見出した。
［１］身体の一部に使用された状態の留置針を保護するためのカバーであって、非装着時には当該身体の一部の外径よりも小さい径のゴムまたはラテックス製の筒状体膜からなる本体部と、この本体部の一部に形成された小筒状部または突出部とを有することを特徴とする留置針保護カバー。
［２］前記本体部及び小筒状部が一体に形成され、前記小筒状部が前記留置針をその内部に保持することが可能な、本体部表面から斜めに突出した閉塞された防水性小筒状部である前記［１］に記載の留置針保護カバー
［３］前記ゴムまたはラテックスまたはその表面が天然物抗菌剤を含有する前記［１］または［２］に記載の留置針保護カバー。
［４］患者の識別手段を有する前記［１］〜［３］のいずれかに記載の留置針保護カバー。
［５］患者の入浴時に留置針を保護し衛生状態を保つための前記［１］〜［４］のいずれかに記載の留置針保護カバー。
【発明の効果】
【０００７】
本発明によれば、身体の一部に使用された状態の留置針の上から被せて留置針保護カバーを取り付けることで留置針を保護できる。従来のようなマジックテープ（登録商標）付きベルト等を使用しないので、かさ張らず病院生活等で邪魔にならない。また、皮膚に密着し動くことがないので、本体部に設けられる筒状部に、留置針またはこれに連結される管（点滴管等）を通すことで、留置針や前記管を確実に固定ないし保護できる。さらに、前記小筒状部が前記留置針をその内部に保持することが可能な閉塞された小筒状部または突出部である場合には、患者の入浴時に留置針を保護する留置針保護カバーとして有用である。
【０００８】
また、使用される身体の一部が腕または脚である場合に、本発明のカバーは適宜変形することで、その形状にフィットする。さらに、身体の一部に接触する面積が大きいため、確実な固定を実現するとともに、長期間の使用をしても痛みや不快感がなく跡も残らない。さらに、粘着テープ等を用いる必要もないので皮膚の受ける負担も小さい。
【図面の簡単な説明】
【０００９】
【図１】図１は、留置針を介して点滴等を行う際の模式図である。
【図２】図２は、本発明の一実施形態に係る留置針保護カバーの模式図である。
【図３】図３は、本発明の一実施形態に係る留置針保護カバーの非装着から装着にかけての概要を示す模式図である。
【図４】図４は、本発明の一実施形態に係る留置針保護カバーの本体部と小筒状部との接続部分の模式的拡大図である。
【発明を実施するための形態】
【００１０】
本発明は、留置針を固定ないし保護するものであり、一般的には腕または脚、特に腕において使用される。また、留置針の使用目的は限定されず、点滴等の液体の注入でも、採血等の体液の採取でもよい。なお、留置針は一般には内針と呼ばれる金属針と外針と呼ばれるプラスチック製のカテーテルで構成され、内針（金属針）を覆うように外針（カテーテル）が装着されるが、本発明において「留置針」とは点滴や採血等に利用される針を含む部材であり、その構造は限定されない。
【００１１】
その実施形態を、図２〜図３に示す。
図２(a)に本発明の留置針保護カバー１（非装着時）を、図３(b)にこれを腕Ａに装着した状態を示す。
【００１２】
これらの図に示す本発明の留置針保護カバー１は、腕Ａに使用された状態の留置針の一部である接続部Ｃ（通常はシリンダー状）を固定ないし保護するためのカバーである。図２(a)に示すように、本発明の留置針保護カバー１は、筒状体膜からなる本体部３の一部に、小筒状部５を有している。使用の際は、本体部３に腕を挿入し、図４(a)に示すように、留置針の一部である接続部Ｃを小筒状部５内に挿入して保護する。この場合、留置針保護カバー１は使用時には図２(b)に示すように変形する。矢印は腕の挿入方向である。
【００１３】
筒状体膜からなる本体部３は、非装着時には当該身体の一部の外径よりも小さいものとする。例えば、腕Ａの装着部位の概ねの外径（つまり、腕の太さ）が１０センチだとした場合は非装着時の本体部３の筒の径は１０センチ以下である。装着時に締め付けが厳しくなるのは好ましくない。皮膚への密着が不十分になり装着時にずれが生じるおそれがあるのも好ましくない。
【００１４】
カバーの本体部３は、ゴムまたはラテックス製であり、筒状の断面形状を有する膜である。ゴムまたはラテックスは、天然ゴム、シリコーン、ポリスチレン系エラストマー、ポリエチレン、ポリプロピレンなどのポリオレフィン、ポリウレタン、ポリビニルアルコール、オレフィン系エラストマー、ポリエステル系エラストマー、塩ビ系エラストマー、塩素化ポリエチレン系エラストマー、ウレタン系エラストマー、ポリアミド系エラストマー、フッ素系エラストマー、スチレンブタジエンゴム、ブタジエンゴム、シンジオタクチック１，２ポリブタジエン、イソプレンゴム、アクリロニトリル−ブタジエンゴム、イソブチレン・イソプレンゴム、アクリルゴム等の弾性を有する材料で構成できる。これらのブレンドでもよい。抗菌性を付与したものが好ましく、天然ゴム蛋白特殊洗浄技術により、ラテックスアレルギー特定主要４アレルゲンを測定不能レベルまで低減し、ラテックスアレルギー感作のリスクを軽減したものとすることが好ましい。
【００１５】
抗菌性の付与には、銅や銀等の抗菌性金属及び合成抗菌剤を用いることもできるが、天然物抗菌剤が好ましい。具体的には、エピガロカテキン、エピガロカテキンガレート、エピカテキンガレート、エピカテキン、ガロカテキン等の茶カテキン成分の他、クローブ、シナモン、メース、ナツメグ、ワサビ、カラシ、カルダモン、クミン、シソ、セージ、タイム、トウガラシ、バジル、ローズマリー、ローリエ、ハッカ、ホップ、タデ、桑、クマザサ、ニンニク、モウソウチク等の植物やレモンや夏みかん、グレープフルーツ、ブドウなどの果実類がある。これらの花蕾、葉、根茎、果実、種子、樹皮を乾燥粉砕したものを使用する。その他、有効な成分としては茶ポリフェノール、ルプロン、β−酸、フマール酸、フエラル酸、コーヒー酸などの桂皮酸化合物ならびにその類似体、微生物の代謝によって生産されるプロピオン酸などの有機酸類やバクテリオシン類、シナモン由来のシンナムアルデヒド、オイゲノール、甘草抽出物、アリルイソチオシアネート、アセチルオイゲノール、シネオール、p-ヒドロキシベンジルイソチオシアネート、クエン酸、ジアリルジスルフィド、ジアリルスルフィド、キトサン類、プロタミン、ポリリジン、ペクチン加水分解物のオリゴガラクチュロン酸、ガラクチュロン酸がある。
【００１６】
本発明で対象となる細菌類とは、癜風菌、鼠径表皮菌などの表皮菌類や水虫の原因菌である好人性の紅色菌、趾間菌、菫色菌、好獣性の犬小胞子菌、疣状菌、好土性の石膏様小胞子菌などの白癬菌類、ボツリヌス菌、レジオネラ菌、ウェルシュ菌、カンジタやアスペルギルスに属するカビ類や酵母類、また乳糖を分解し酸とガスを生産する好気性または通性嫌気性の大腸菌群、乳酸菌類、ブドウ球菌類、放線菌類、連鎖球菌類である。
また、消臭成分を含有させることも好ましい。消臭成分としてフラボノイド類が含有していることが好ましい。ここでいうフラボノイド類とはアントシアニジン類でありこれを含有する天然物とは茶葉、シソの葉、カカオ豆、ハイビスカスの花、ブドウ果皮、紫トウモロコシの種子、赤カブラの葉、茎、根であり、これらを乾燥粉砕したものを使用する。これら天然物に含有され消臭能力を持つ成分としてはシソニン、デルフィニジン、ペオニン、ラファニン、エピカテキン、カテキン、ロイコシアニジン、ガロカテキンが挙げられる。
【００１７】
膜は上記の材料からなる単一材料の膜でよいが、シリコーン、ポリスチレン系エラストマー、ポリエチレンジェルなどのジェル素材またはタルク等の滑剤粉末からなるコーティングを内側（皮膚との接触面）に設けてもよい。また、ポリウレタンフォーム、ポリビニルアルコールフォームなどの多孔質素材コーティングを内側（皮膚との接触面）に設け、例えば、保湿成分（例えば、グリセリン）や前述の抗菌成分、消臭成分等を多孔質中に含有させてもよい。
【００１８】
ゴムまたはラテックス製の膜の厚さは非装着時において、身体の一部に装着した際、皮膚に密着して、位置ずれを生じない厚さである。もっとも、これは皮膚に接する部分の膜厚の概ねの範囲であり、例えば、縁部や小筒状部との接続部をこれ以上の厚みとして強化してもよいし、膜材料の強度や弾性率等によってはこの範囲外も本発明に含まれる。
【００１９】
小筒状部５は本体部３と同一の材料、構成としてもよいし、異別の材料、構成としてもよい。好ましくは同一の材料、構成として、両者を一体に形成する。留置針において内針を差し替えたり、点滴管等の装着するのを容易にするため、開裂溝を設けてもよいし、反対に、図４(a)に示すように、小筒状部５は留置針（接続部Ｃ）を内部に保持することが可能な閉塞された小筒状部としてもよい。この場合、前記小筒状部は防水性とする。また、小筒状部内部に留置針を挿入可能な隔壁部を設けてもよいし、図４(b)に示すように、小筒状部を本体部に密着させた際に小筒状部内部が腕から隔絶されるような突起７を小筒状部内部に設けてもよい。この場合、装着時には留置針（接続部Ｃ）が小筒状部５内に保持され、図中の矢印の方向に引き倒されるので突起７が留置針（接続部Ｃ）を確実に把握し、かつ、小筒状部５内への汗等の流入を防ぐ。
【００２０】
さらに本体部３に固定する医療用テープを取り付けてもよい。本体部３と小筒状部５との接続角度θは、材料が可撓性材料であるため任意に選択できるが、例えば、非装着時０〜６０度である。角度が開きすぎると持ち上がり邪魔になりやすい。
【００２１】
なお、以上の構成は例示であり、本発明の範囲内において様々な修正・変更が可能である。例えば、本体部３は蒸れ防止のために複数の孔を有したり、網目または格子状部分を有してもよい。これらの孔は、例えば、丸孔とし、ずれ防止性を損なわない程度に設けることができる。
【００２２】
本体部３の円筒形状の両縁は、上述のように厚みを増して強化してもよい。また、図２に挙げた例では、概ね均一な径の円筒であるが、腕の上下に応じて太さを変えてもよい。例えば、下腕（前腕）に装着する場合は手側が細く肘側を太くする等、腕にフィットしやすいようにする。また、図２及び３に挙げた例では、平行に縁部が設けられているが、縁を斜めにカットしたり、着色したりしてもよい。また、装着時のまくれ上がりを防ぐために一定の幅を維持するための幅維持手段を有してもよい。さらに、患者の識別手段を有してもよい。
【００２３】
患者の識別手段は本体部３内に電子チップを封入したり、表面に文字・記号・バーコードを印刷するなどして装着時期や患者情報が認識できるようにするものである。これにより、本発明の保護カバーを過度に長時間装着していないかを確認可能であり、また、点滴等を再開する際の薬剤の取り違えなどを防止できる。
【００２４】
図３の態様について本発明のカバーの使用例を図４により説明する。まず、図４(a)は、留置針が腕に残されている状態である。本発明の本体部３を手から当該部まで通し、接続部Ｃが小筒状部５内に入るように装着する（図４ｂ）。本体部３はラテックス等で構成されているのでこの状態で腕の表面に密着する。留置針は小筒状部内に入っており、これらは防水性を有するため、外部からお湯等の水分が流入することはない。このように本発明のカバーは装着が容易で、かつ、確実に防水ができるので、患者の入浴時に用いれば簡便に留置針の保護ができて極めて有用である。また、取り外しも容易であり、患者への負担も極めて小さい。
【００２５】
なお、以上の実施形態では、留置針を適用する身体の一部は腕としたが、身体の他の部分でもかまわない。また、本体部３の筒形状は円筒形状として示したが、三角筒形状、四角筒形状、五角筒形状等の多角筒形状であってもよい。また、様々な変形や修正も可能である。例えば、小筒状部に代えて例えば半球状ないし半楕円状または矩形状の突出部を設けてもよい。また、この場合を含め、例えば、本発明のカバーを適用する前に皮膚に防水シートを巻くなどして留置針と皮膚との隔絶を図ったり、カバーを取り外した後に消毒をする等して衛生面での強化を図ることも可能である。
【符号の説明】
【００２６】
１…留置針保護カバー、３…留置針保護カバーの本体部、５…小筒状部、７…突起
【図１】
2016022168.tif 000003
【図２】
2016022168.tif 000004
【図３】
2016022168.tif 000005
【図４】
2016022168.tif 000006